(57)【要約】【解決手段】美容マスクをマスクの使用直前に液状のパーソナルケア用の調製品で処理できるようにする美容マスクと共に使用する容器システム。容器システムは、容器（１）、栓（２）及びストレーナ（３）を備える。容器が立位のとき、リザーバ内の流動性製品（Ｐ）は、ストレーナの高さに達しない。本発明は、本明細書中に説明されているような容器システム及び流動性製品（Ｐ）に曝されていないワンセットのドライ美容マスクを備えるキットを含む。【選択図】図２
2019510582.tif 000002
【特許請求の範囲】
【請求項１】
美容マスクと共に使用するための容器システムであって、
容器（１）と、栓（２）と、ストレーナ（３）と、マスク室（４）とを備え、
前記容器（１）は、
流動性製品（Ｐ）を内包するためのリザーバ（１ａ）と、
前記リザーバ（１ａ）に通じている開口（１ｆ）を有し、ねじ山が付されたネック（１ｂ）と、
を備え、
前記栓（２）は、
側壁（２ｂ）と、上端（２ｅ）と、
ねじ山（２ｃ）と、前記ねじ山の上の円周リップ（２ｄ）とを有する内面と、
前記上端（２ｅ）と、前記円周リップ（２ｄ）の上の前記円筒の側壁（２ｂ）とにより画定される内部スペース（２ａ）と、
を備え、
前記ストレーナ（３）は、前記容器（１）の前記ネック（１ｂ）から下向きに垂れ下がって、前記リザーバ（１ａ）内に突出し、
２５乃至２１０ｍｍの前記範囲の内径を有する有孔の円筒壁（３ｂ）と、
フランジとして形成されている先端（３ｅ）と、
有孔の下端（３ｄ）と、
前記ストレーナ（３）の前記円筒壁（３ｂ）及び前記底（３ｄ）により画定され、前記内部スペースの前記高さが２５乃至５０ｍｍである内部スペース（３ａ）と、
を備え、
前記マスク室（４）は、前記栓（２）の前記上端（２ｅ）から前記ストレーナ（３）の前記底（３ｄ）に延びているスペースである容器システム。
【請求項２】
キットであって、
請求項１記載の美容マスクと共に使用するための容器システムであって、流動性製品（Ｐ）が、前記リザーバ（１ａ）内に配置されている容器システムと、
前記流動性製品（Ｐ）に曝されていないワンセット、２乃至６０枚のドライ美容マスクと、
を備えるキット。
【発明の詳細な説明】
【技術分野】
【０００１】
本発明は、パーソナルケア包装の分野に関し、特に、肌に貼付する美容マスク製品を調製するための容器に関する。
【背景技術】
【０００２】
様々な美容マスク、シート及びパッチが市販されている。多くの場合、これらは、肌を保湿するため及び／又はスキンケア活性剤を届けるために有益なものとして説明されている。通常、美容マスクは、液状のパーソナルケア用の調製品で湿らした織布又は不織布材料からなる。マスクは、それが貼付される対象エリア（例えば顔又は首）に合わせられるように、柔軟性を有している。マスク製品は、典型的には液状製品で予め湿らした状態で販売されている。肌に貼付されると、湿らせたマスクから肌が液状製品を吸収する。
【０００３】
このタイプのシステムの主な懸念は、消費者に届く前にマスクが乾燥することである。そのため、気密・液密包装が欠かせない。単一の湿らせたマスクを気密・液密のパッケージ（例えば、パケット）に包装するか、湿らせたマスクの束を効果的な程度に気密及び液密な再封可能な容器に包装するかのどちらかである。このタイプの包装の１つの欠点は、身体の異なる部位で使用される２以上の形状のマスクではなく、通常は１つの形状のマスクしか容器に供給されないことである。液状のパーソナルケア用の調製品の同一の容器が異なる形状のマスクに使用できれば、消費者にとって使い勝手がよい。
【０００４】
このタイプの包装の他の欠点は、マスクのいくつかの成分と液状のパーソナルケア用の調製品のいくつかの成分とを結合させること及び使用直前までそれらを分離しておくことができないことである。例えば、マスクが反応性スキンケア剤に含浸されているとする。続いて、マスクを使用する数週間又は数ヶ月前に、その含浸されたマスクに液状のパーソナルケア用の調製品を染み込ませると、活性成分の有効性に悪影響を与えるかもしれない。この悪影響により、消費者が恩恵を受ける機会を得る前に、有効性が損失する、又は有効性が費消されるかもしれない。また、おそらく液状のスキンケア用の調製品は、調製品の安定性の低下その他の悪影響を受ける。これらの及び同様なケースにおいて、マスク及びスキンケア用の調製品が使用直前まで分離されていれば有益である。一方、使用直前において美容マスクを消費者によって湿らせさせると、面倒で無駄が多くなりやすい。これらは、液状のスキンケア用の調製品を内包する同一の封止された容器内で、マスクを湿らせることができない場合の話である。
【発明の概要】
【発明が解決しようとする課題】
【０００５】
本発明の主たる目的は、マスクを使用する直前に美容マスクを液状のパーソナルケア用の調製品で処理できる、美容マスクと共に使用するための容器システムを提供することである。
【０００６】
本発明の目的は、流動性製品（Ｐ）を保持するための容器（１）、栓（２）及びストレーナ（３）を備える容器システムにより実現される。栓が容器に取り付けられると、ストレーナ及び栓が、１以上の美容マスクを保持するのに十分な大きさのマスク室（４）を画定する。容器は、ジャー又はネックを有するボトルの形でもよく、そのどちらも、容器システムの外の環境からリザーバ及びマスク室を封止するための栓を受けることができる端部を有する。容器のリザーバ（１ａ）が流動性製品（Ｐ）で充填され、容器が立位の場合、リザーバ内の流動性製品は、マスク室の高さに達していても、達していなくてもよく、マスク室に保管されているマスクを湿らすことができてもできなくてもよい。好ましくは、容器のリザーバが充填され、容器が立位の場合、リザーバ内の流動性製品は、マスク室の高さに達していないか、そうでない場合は、マスク室に保管されているマスクを湿らすことができない。本発明は、本明細書中に説明されているような容器システム及び流動性製品（Ｐ）に曝されていない美容マスク一式を備えるキットを含む。
【図面の簡単な説明】
【０００７】
【図１Ａ】本発明に係る容器システムの立面図である。
【図１Ｂ】図１Ａの容器システムの断面図である。
【図２】容器（１）、栓（２）及びストレーナ（３）の分解組立図である。
【図３】本発明に係る栓（２）の断面である。
【図４Ａ】ストレーナ（３）を示す。
【図４Ｂ】ストレーナ（３）を示す。
【図４Ｃ】ストレーナ（３）を示す。
【図５】本発明で使用されてもよい、いくつかのタイプの美容マスクを示す。
【図６】本発明で使用されてもよい、いくつかのタイプの美容マスクを示す。
【図７】本発明で使用されてもよい、いくつかのタイプの美容マスクを示す。
【図８】ストレーナ（３）内に置かれた丸めた美容マスク（９）を示す。
【発明を実施するための形態】
【０００８】
本明細書全体にわたって、「備える、具備する」とは、要素又は要素群が、具体的に列挙されるそれらの要素に自動的に限定されず、追加の要素を含んでも含まなくてもよいことを意味する。実施形態のうちいくつかの様々な特徴について以下に記載する。特定の記載される特徴は、他の記載若しくは暗示される特徴とは別個に、又はそれらと組み合わせて使用されてもよい。実施形態のうちいくつかは、1以上の記載される特徴のみを使用してもよい。
【０００９】
美容マスクと共に使用するための容器システムは、流動性製品（Ｐ）を保持するための容器（１）、栓（２）及びストレーナ（３）を備える。
【００１０】
（容器（１）及び栓（２））
図１Ａ、図１Ｂ及び図２を参照すると、容器（１）は、ジャー又はボトルの形であってもよく、その内部には、流動性製品（Ｐ）を内包するためのリザーバ（１ａ）が形成される。図において、容器は、ネック（１ｂ）を有するボトルである。容器の底は（１ｄ）で示され、ネックの上端（又はランドエリア）は（１ｅ）で示される。リザーバは、ネックの開口（１ｆ）を通ってアクセスされる。一般に、容器はプラスチック又はガラスでもよいが、容器の扱い方の理由から、プラスチックが好ましい。
【００１１】
図３の実施形態において、栓（２）は、側壁（２ｂ、円筒で示される）及び上端（２ｅ）を備える。円筒壁の内面には、ねじ山（２ｃ）がある。栓のねじ山の上の、円筒壁の内面にも、円周リップ（２ｄ）がある。（２ａ）は、円周リップ（２ｄ）の上の、上端（２ｅ）及び円筒側壁（２ｂ）により画定される内部スペースを示す。栓（２）の好ましい実施形態において、この内部スペースの高さ（２ｈ）は約１０乃至３０ｍｍ、直径（２ｆ）は２５乃至２１０ｍｍの範囲内である。一般に、栓は、プラスチックで成形される。
【００１２】
容器（１）のネック（１ｂ）は、リザーバへの開口が周囲環境（すなわち、容器の外の環境）から封止されるように、封止係合で栓（２）を受けることができる。例えば、ネック及び栓は、当技術分野で周知されているような、ねじ係合を介して封止してもよい。容器のネックのねじ山（１ｃ）は、栓のねじ山（２ｃ）と協働する。栓のねじ山（２ｃ）の上端周辺に、円周リップ（２ｄ）がある。任意に、しかし好ましくは、Ｏリング形状のライナー（５）が円周リップ（２ｄ）とストレーナ（３、以下参照）のフランジ（３ｅ）間に設けられる。
【００１３】
（ストレーナ（３）及びマスク室（４））
図４Ａ及び図４Ｂを参照すると、ストレーナ（３）は、内径を有する円筒壁（３ｂ）を備える。ストレーナの先端（３ｅ）は、フランジとして形成されてもよい。ストレーナが容器（１）のネック（１ｂ）の開口（１ｆ）を通して挿入されると、フランジ（３ｅ）は、容器の上端（１ｅ）に載置され、ストレーナの残りの部分は、容器のネックから下向きに垂れ下がっている。
【００１４】
ストレーナの先端は、開口（３ｆ）を画定し、そこを通って、美容マスクは、容易にストレーナに挿入されたり、ストレーナから取り出されたりしてもよい。この開口の内径は、典型的には、２５乃至２１０ｍｍの範囲内であってもよく、好ましくは、栓（２）の内部スペース（２ａ）の内径（２ｆ）と一致している。ストレーナの下端（３ｄ）は、ボウル（図のように）として形成されてもよいし、平坦又は他の何らかの形状であってもよい。ストレーナの円筒壁（３ｂ）及び底（３ｄ）は、美容マスクにより占められる内部スペース（３ａ）を画定する。この内部スペースの高さ（３ｈ）は、典型的には２５乃至５０ｍｍの範囲内であってもよいが、この範囲は、典型的なものの指針として提供されているのみであり、超えていてもよい。容器（１）に挿入されると、ストレーナの下端は、リザーバ（１ａ）に入り込んでもよい。
【００１５】
ストレーナ（３）は、容器（１）と一体に成形されてもよいし、図のように、別々に成形されて、後で、容器に取り付けられてもよい。ストレーナの円筒壁（３ｂ）の外径は、ネック（１ｂ）の開口（１ｆ）内部にフィットする大きさに形成される。ストレーナがネックに完全に挿入されると、フランジ（３ｅ）は、ネックのランドエリア（１ｅ）に載る。フランジは、容器の端部のランドエリアを越えて左右に延びるべきではない。ストレーナは、ネックに溶接又は接着剤により永久的にはり付けられてもよい。一時的な取り付けとしては、スナップ嵌め又は摩擦嵌めがあり得る。好ましくは、摩擦嵌めが使用される。この場合、ストレーナの円筒壁（３ｂ）の外径は、容器のネックの開口（１ｆ）の内径より少し大きくてもよい。ストレーナの円筒壁とネックの間に十分な干渉があれば、容器が逆さまになっても、ストレーナは、容器から外れることはない。例えば、ストレーナの円筒壁の外径は、ネックの内径より０．８乃至１．３ｍｍ大きくてもよい。この摩擦嵌めを補助するため、ストレーナは、好ましくはプラスチック製で、より好ましくは、リザーバ（１ａ）の内容物に対して不活性なエラストマー材料製である。
【００１６】
栓（２）が容器（１）のネック（１ｂ）にねじ止めされると、円周リップ（２ｄ）は、ストレーナ（３）のフランジ（３ｅ）を下方に圧迫するようになる。好ましくは、この接触は、気密及び液状の封止を形成するのに十分なものである。しかし、任意に、そして好ましくは、Ｏリング形状のライナー（５）が、円周リップ（２ｄ）とストレーナのフランジ（３ｅ）との間に設けられてもよい。ライナーは、追加的な封止の完全性を提供する。任意に、ライナーは、栓の円周リップにのり付けされてもよい。
【００１７】
栓（２）がネック（１ｂ）に据え付けられると、栓の内部スペース（２ａ）及びストレーナ（３）の内部スペース（３ａ）が隣接し、栓の上端（２ｅ）からストレーナの底（３ｄ）に延びる１つの大きなスペース又はマスク室（４）が作られる（図１Ｂ参照）。マスク室（４）の第１部分（４ａ）は容器（１）内に位置し、マスク室の第２部分（４ｂ）は栓（２）内ではあるが、容器の外側に位置している。マスク室は、容器の外側の環境から封止される。このマスク室は、少なくとも１枚の美容マスクを収容するのに十分な大きさでなければならない。好ましくは、マスクは、ストレーナ（３、図８のマスク（９）を参照）に入れる前にきちんと丸められる及び／又は折りたたまれるが、これは必須ではない。図５は、フルフェイスマスク（６）を示す。図６は、口元用の美容マスク（７）を示す。図７は、目元用の美容マスク（８）を示す。これらの図は、説明のためのみにある。多数の他のタイプの美容マスクが、本発明での使用を見出してもよい。
【００１８】
ストレーナ（３）の円筒壁（３ｂ）及び底（３ｄ）には、多数の孔（３ｇ）がある。孔は、流動性製品（Ｐ）が容易にマスク室に流れ込み、マスク室からの流れ出しに十分な大きさを有しているが、美容マスク（５）がリザーバ（１ａ）に落ちる又は押し込まれるのを防ぐには十分に小さい。例えば、孔の最大寸法は、２乃至６ｍｍの範囲内であってもよい。孔は、図４Ａに示されるように、全てが同一のサイズ又は形状でなければならないわけではない。
【００１９】
好ましくは、充填された容器（１）が立位にある場合、リザーバ内の製品がストレーナの高さに達しないように、又はストレーナ内に保存されたマスクを湿らすことができないように、リザーバ（１ａ）内の流動性製品（Ｐ）の高さは、ストレーナの下端（３ｄ）より低い（図１Ｂ参照）。製品の高さがストレーナの底より高いと、マスク室（４）内に位置する美容マスク（５）は、過剰な製品をリザーバに流して戻すことができない。製品の高さをストレーナより下に保つことにより、容器が立設していないとき、すなわち、容器が傾けられた又は逆さまになっているときにのみ、マスクを湿らせることができる。
【００２０】
ストレーナ（３）が容器（１）に永久的に備え付けられている（すなわち、単一型成形、溶接又は接着剤による）場合、又は容器が充填される前にストレーナが容器に取り付けられる場合、容器は、ストレーナを通して充填されなければならない。自動化された充填動作においては、ストレーナの孔が、製品がストレーナを通って迅速に流れることを可能にするのには小さ過ぎる場合、問題が生じ得る。そのため、この場合、マスク室の底の中心には、自動化された充填動作の充填ノズルが通るのに十分な大きさを有する（しかし、美容マスク（５）が抜け落ちる又は詰め込まれるほどの大きさではない）１つの孔（３ｐ、図４Ｃ参照）があってもよい。一方、ストレーナ（３）が永久的には容器（１）に備え付けられていない場合、容器は、通常の方法で充填され、その後マスク室が挿入されてもよい。パーソナルケア消費財産業において、充填ノズルの直径は多様であるが、充填ノズル用の孔（３ｐ）は、典型的には３乃至１２ｍｍ、好ましくは５乃至１０ｍｍ、例えば、約７ｍｍであってもよい。
【００２１】
好ましくは、ストレーナ（３）は、その円周一帯に及び明らかにその高さに沿って複数の孔（３ｇ）を有する。ストレーナの底周辺に孔が１つあるだけでは、又は十分な数の孔がなければ、例えば、ユーザが容器（１）を逆さまにする時間が短すぎた場合、マスク全体に製品が染み込まないかもしれない。また、ストレーナの底周辺に１つの開口があるだけでは、マスク室（４）内の余剰製品の多くがマスク（５）を通って流れ出ざるをえないが、このプロセスに時間がかかるかもしれない。せっかちなユーザは、余剰製品が流れ出す機会を持つ前に、マスクがまだ過飽和吸収状態のうちに、マスクをマスク室から取り出してしまうかもしれない。一方、ストレーナ（３）がその円周一帯に及び明らかにその高さの長さを通して複数の孔（３ｇ）を有する場合、マスク（５）は、より速く一様に（例えば、３０秒以内、好ましくは１０秒以内、より好ましくは５秒以内）飽和し、余剰製品は、より速く（例えば、６０秒以内、好ましくは３０秒以内、より好ましくは１０秒以内）マスク室から流れ出る。
【００２２】
（使用方法）
ユーザは、本発明に係る容器システム及びドライマスク（６）を備える。容器（１）は、流動性製品（Ｐ）で充填される。「ドライマスク」は、他の製品では処理されているかもしれないが、容器内の同一の流動性製品（Ｐ）に曝されていない、又は同一の流動性製品（Ｐ）で処理されていないマスクを意味する。容器（１）が立位であれば、リザーバ（１ａ）内の流動性製品（Ｐ）は、マスク室（４）の高さに達していない。任意に、ユーザは、マスクを丸め（図８のように）てもよい及び／又は折り曲げてもよい。ユーザは、容器から栓（２）を取り外し、マスク室（４）にドライマスク（６）を置き、容器（１）を再び閉める。ユーザは、少なくとも流動性製品がマスクを飽和させるまで、容器を逆さまにする。これは、例えば、１乃至３秒ほど短く、又はより長く、例えば、５乃至１０秒ほどでもよい。ユーザは、容器を立位に戻し、続いて、余剰製品をリザーバに流して戻すことができるように、少なくとも数秒又は数分待ってもよい。ユーザは、栓を開き、飽和したマスクをすぐに取り出すか、そうでない場合は、余剰製品をリザーバに流して戻すことができるように、数秒又は数分待ち、その後、マスクを取り出す。マスクは、広げられ、肌に貼付される。好ましくは、マスクは、数分又は数時間等、推奨されている時間、ユーザの肌に貼付したままにする。この貼付時間の後、ユーザは、マスクを肌から取り外し、マスクを廃棄する。栓は、容器に再び取り付けられてもよい。
【００２３】
流動性製品（Ｐ）は、容器（１）を逆さまにしたときにストレーナの孔を通って流れることができ、ほどよく短い時間（例えば、３０秒以内）でストレーナ内に位置する美容マスクを湿らすことができる、任意の調合であってよい。容器を逆さまにしても孔を通過できない、又はほどよい時間で美容マスクを完全に湿らすことができない流動性製品は、本発明に適さない。適切な流動性製品（Ｐ）は、任意の活性成分を含有してもよい。好ましくは、流動性製品は、自然又は精製形態のどちらかの、少なくとも１つのスキンケア活性剤を含有する。自然形態は、例えば、茶葉又は花びらかもしれない。精製形態は、茶葉又は花びら又は他の有機材料からの抽出物かもしれない。
【００２４】
本発明は、本明細書中に説明されているような、リザーバ（１ａ）内に流動性製品（Ｐ）を有する容器システム及び流動性製品（Ｐ）に曝されていないワンセットのドライ美容マスクを備えるキットを含む。マスクの束等の複数の美容マスクが、単一の容器にパッケージ化されてもよい。しかし、先行技術と異なり、これらのマスクは、ウェットタイプではなく、乾燥している。好ましくは、本発明に係るキットは、本明細書中に説明されているような容器システム及び少なくとも２枚のドライマスク（例えば、２乃至６枚のドライマスク）、好ましくは少なくとも７枚のドライマスク（すなわち、少なくとも一週間分の供給量）、より好ましくは少なくとも３０枚のドライマスク（すなわち、少なくとも一ヶ月分の供給量）、又は２乃至６０枚の任意の数のドライマスクを備える。容器システム及びワンセットのドライマスクは、小売販売用に単一の外装にパッケージ化されてもよい。
【図１Ａ】
2019510582.tif 000003
【図１Ｂ】
2019510582.tif 000004
【図２】
2019510582.tif 000005
【図３】
2019510582.tif 000006
【図４Ａ】
2019510582.tif 000007
【図４Ｂ】
2019510582.tif 000008
【図４Ｃ】
2019510582.tif 000009
【図５】
2019510582.tif 000010
【図６】
2019510582.tif 000011
【図７】
2019510582.tif 000012
【図８】
2019510582.tif 000013
【国際調査報告】
2019510582.tif 000014
2019510582.tif 000015